(57)【要約】【課題】筐体に表示器を簡易な構成で容易に固定することが可能であり、部品点数や組付工数が削減されてコスト低減を実現することができ、パッキンに関する装着性も向上させることができる表示器の取付構造を提供する。【解決手段】表示器１００の本体１１０を、前面ケース３０の内壁に沿わせて下方向へ摺動させると、該摺動に伴い本体１１０に設けられた係止爪１１６が、前面ケース３０に設けられた被係止孔３３にスナップフィット係合する。このスナップフィット係合により、表示器１００は、その画面が前面ケース３０の開口部３１に合致する所定位置に固定される。【選択図】図１
2018036906.tif 000002
【特許請求の範囲】
【請求項１】
筐体の前面部に表示器を固定するための取付構造において、
前記前面部には、前記表示器の画面を裏側から合わせる開口部が開設され、前記前面部の裏側で前記開口部の周囲に、前記表示器の本体を固定するための固着手段を備え、
前記固着手段は、前記表示器の本体を前記前面部の内壁に沿わせて一方向へ摺動させると、該摺動に伴い前記本体および前記内壁の一方に設けられた係止爪が、他方に設けられた被係止孔にスナップフィット係合するように構成され、該スナップフィット係合により、前記表示器は画面が前記開口部に合致する所定位置に固定されたことを特徴とする表示器の取付構造。
【請求項２】
前記係止爪と前記被係止孔とは、前記表示器の本体を前記前面部の内壁に沿わせて下方向へ摺動させることに伴い、スナップフィット係合するように構成され、
前記前面部の内壁にて前記開口部の下側に、前記係止爪および前記被係止孔の一方が設けられ、かつ他方が設けられた前記表示器の本体の下端縁が前記スナップフィット係合後に当接して位置決めされる受け部を備えることを特徴とする請求項１に記載の表示器の取付構造。
【請求項３】
前記受け部は、前記係止爪および前記被係止孔の他方が設けられた部位を間にして、前記表示器の本体の下端縁に沿うように両側方向へ複数に分断されて並ぶように、または一続きに連なって延びるように形成されたことを特徴とする請求項２に記載の表示器の取付構造。
【請求項４】
前記被係止孔に前記係止爪が係合する側の前記被係止孔の周囲の基準面と、前記係止爪が先端に設けられた板バネ片にて前記係止爪が突出する側の基準面との間には、前記受け部に前記表示器の本体の下端縁が当接して支持された時に隙間が生じることを特徴とする請求項２または３に記載の表示器の取付構造。
【請求項５】
前記前面部の内壁にて前記開口部の両側に、前記表示器の本体の両側端が、前記スナップフィット係合後に外側から支えられる支え部を備えることを特徴とする請求項１，２，３または４に記載の表示器の取付構造。
【請求項６】
前記支え部は、前記前面部の内壁にて前記開口部の両側で互いに対向する一対の断面Ｌ字形の爪状に形成され、前記表示器の本体の両側端には、該本体を前記前面部の内壁に対して直交方向から沿わせる時に、前記支え部の先端を回避するために中央に向かって凹む溝部が設けられていることを特徴とする請求項５に記載の表示器の取付構造。
【請求項７】
前記表示器の画面の周囲と前記前面部の内壁との間に介装されるパッキンを備え、
前記パッキンは、前記表示器の画面側から被さるカバー状に形成され、前記スナップフィット係合時に予め前記表示器の画面の周囲に被せた状態に仮止め可能であることを特徴とする請求項１，２，３，４，５または６に記載の表示器の取付構造。
【請求項８】
前記筐体は、歩行者用信号灯器における作動を指示する押ボタン箱であり、
前記筐体は、背面側となり前面側が開口したベース本体と、該ベース本体の開口を前方から覆うように組み合わされる前面ケースとから構成され、
前記前面ケースの前面側が、前記筐体の前面部となり、
前記表示器は、歩行者支援に関する各種情報を表示するものであることを特徴とする請求項１，２，３，４，５，６または７に記載の表示器の取付構造。
【発明の詳細な説明】
【技術分野】
【０００１】
本発明は、筐体の前面部に表示器を固定するための取付構造に関する。
【背景技術】
【０００２】
従来より、筐体の前面部に表示器を固定したものは様々な分野に存在しており、例えば歩行者用信号灯器に付設される押ボタン箱が知られている。本件出願人も、特許文献１，２に開示されたように、表示器を備えた押ボタン箱を既に提案している。かかる押ボタン箱における表示器の取付構造は、図２０に示す他の一般的な押ボタン箱１と同様である。
【０００３】
押ボタン箱１では、その筐体２の前面ケース３に、表示器４の画面を裏側から合致させる開口部３ａが開設されている。表示器４の具体的な固定は、２箇所のネジ止めにより行われていた。すなわち、図２０に示すように、前面ケース３の裏側で開口部３ａの両脇には、一対のネジ止め用のボス３ｂが突設されており、表示器４は、その両側端がそれぞれネジ５でボス３ｂに固定されていた。
【０００４】
また、表示器４の画面の周囲と前面ケース３の内壁との間には、防水用のパッキン６が介装されている。ここでパッキン６は、表示器４の画面の周囲に沿う枠形状に切り抜かれたシート状であり、表示器４をネジ５で固定する際に、予め前面ケース３の開口部３ａの周囲に両面テープで取り付けられていた。
【先行技術文献】
【特許文献】
【０００５】
【特許文献１】意匠登録第１５１４９０９号公報
【特許文献２】意匠登録第１５１８４６９号公報
【発明の概要】
【発明が解決しようとする課題】
【０００６】
しかしながら、前述した従来の押ボタン箱における表示器４の取付構造では、前面ケース３に対する表示器の固定に２本のネジ５が必要であった。そのため、部品点数が多くなり、組付工数が増大するばかりでなく、ネジ止め作業が面倒であり時間もかかるため、コストアップの要因となる虞があり、さらなるコスト低減のための改良が望まれていた。
【０００７】
また、防水用のパッキン６は、前面ケース３に対して両面テープにより予め取り付けておく必要があった。そのため、組付工数が増大し、装着性が良くないため、さらなる装着性の向上のための改良も望まれていた。
【０００８】
本発明は、以上のような従来の技術の有する問題点に着目してなされたものであり、筐体に表示器を簡易な構成で容易に固定することが可能であり、部品点数や組付工数が削減されてコスト低減を実現することができ、パッキンに関する装着性も向上させることができる表示器の取付構造を提供することを目的とする。
【課題を解決するための手段】
【０００９】
前述した目的を達成するための本発明の要旨とするところは、以下の各項の発明に存する。  
［１］筐体（１１）の前面部（３０）に表示器（１００）を固定するための取付構造において、
前記前面部（３０）には、前記表示器（１００）の画面を裏側から合わせる開口部（３１）が開設され、前記前面部（３０）の裏側で前記開口部（３１）の周囲に、前記表示器（１００）の本体（１１０）を固定するための固着手段を備え、
前記固着手段は、前記表示器（１００）の本体（１１０）を前記前面部（３０）の内壁に沿わせて一方向へ摺動させると、該摺動に伴い前記本体（１１０）および前記内壁の一方に設けられた係止爪（１１６）が、他方に設けられた被係止孔（３３）にスナップフィット係合するように構成され、該スナップフィット係合により、前記表示器（１００）は画面が前記開口部（３１）に合致する所定位置に固定されたことを特徴とする表示器（１００）の取付構造。
【００１０】
［２］前記係止爪（１１６）と前記被係止孔（３３）とは、前記表示器（１００）の本体（１１０）を前記前面部（３０）の内壁に沿わせて下方向へ摺動させることに伴い、スナップフィット係合するように構成され、
前記前面部（３０）の内壁にて前記開口部（３１）の下側に、前記係止爪（１１６）および前記被係止孔（３３）の一方が設けられ、かつ他方が設けられた前記表示器（１００）の本体（１１０）の下端縁が前記スナップフィット係合後に当接して位置決めされる受け部（３２，３２ａ）を備えることを特徴とする前記［１］に記載の表示器（１００）の取付構造。
【００１１】
［３］前記受け部（３２，３２ａ）は、前記係止爪（１１６）および前記被係止孔（３３）の他方が設けられた部位を間にして、前記表示器（１００）の本体（１１０）の下端縁に沿うように両側方向へ複数に分断されて並ぶように、または一続きに連なって延びるように形成されたことを特徴とする前記［２］に記載の表示器（１００）の取付構造。
【００１２】
［４］前記被係止孔（３３）に前記係止爪（１１６）が係合する側の前記被係止孔（３３）の周囲の基準面と、前記係止爪（１１６）が先端に設けられた板バネ片（１１５）にて前記係止爪（１１６）が突出する側の基準面との間には、前記受け部（３２，３２ａ）に前記表示器（１００）の本体（１１０）の下端縁が当接して支持された時に隙間が生じることを特徴とする前記［２］または［３］に記載の表示器（１００）の取付構造。
【００１３】
［５］前記前面部（３０）の内壁にて前記開口部（３１）の両側に、前記表示器（１００）の本体（１１０）の両側端が、前記スナップフィット係合後に外側から支えられる支え部（３４）を備えることを特徴とする前記［１］，［２］，［３］または［４］に記載の表示器（１００）の取付構造。
【００１４】
［６］前記支え部（３４）は、前記前面部（３０）の内壁にて前記開口部（３１）の両側で互いに対向する一対の断面Ｌ字形の爪状に形成され、前記表示器（１００）の本体（１１０）の両側端には、該本体（１１０）を前記前面部（３０）の内壁に対して直交方向から沿わせる時に、前記支え部（３４）の先端を回避するために中央に向かって凹む溝部（１１７）が設けられていることを特徴とする前記［５］に記載の表示器（１００）の取付構造。
【００１５】
［７］前記表示器（１００）の画面の周囲と前記前面部（３０）の内壁との間に介装されるパッキン（１３０）を備え、
前記パッキン（１３０）は、前記表示器（１００）の画面側から被さるカバー状に形成され、前記スナップフィット係合時に予め前記表示器（１００）の画面の周囲に被せた状態に仮止め可能であることを特徴とする前記［１］，［２］，［３］，［４］，［５］または［６］に記載の表示器（１００）の取付構造。
【００１６】
［８］前記筐体（１１）は、歩行者用信号灯器における作動を指示する押ボタン箱（１０）であり、
前記筐体（１１）は、背面側となり前面側が開口したベース本体（２０）と、該ベース本体（２０）の開口を前方から覆うように組み合わされる前面ケース（３０）とから構成され、
前記前面ケース（３０）の前面側が、前記筐体（１１）の前面部（３０）となり、
前記表示器（１００）は、歩行者支援に関する各種情報を表示するものであることを特徴とする前記［１］，［２］，［３］，［４］，［５］，［６］または［７］に記載の表示器（１００）の取付構造。
【００１７】
次に、前述した解決手段に基づく作用を説明する。  
前記［１］に記載の表示器（１００）の取付構造によれば、筐体（１１）の前面部（３０）に、表示器（１００）の画面を裏側から合わせる開口部（３１）が開設されており、この開口部（３１）の周囲にある固着手段によって表示器（１００）の本体（１１０）を固定する。
【００１８】
すなわち、表示器（１００）の本体（１１０）を、筐体（１１）の前面部（３０）の裏側から内壁に沿わせて一方向へ摺動させると、前記本体（１１０）および前記内壁の一方にある係止爪（１１６）が他方にある被係止孔（３３）に係合する位置まで相対的に変化する。よって、表示器（１００）を一方向へ摺動させるだけで、係止爪（１１６）が被係止孔（３３）にスナップフィット係合し、表示器（１００）は画面が前記開口部（３１）に合致する所定位置に固定される。
【００１９】
このような表示器（１００）の取付構造によれば、筐体（１１）の前面部（３０）にネジ止めする場合に比べて、ネジが不要となって部品点数や組付工数が削減される。また、面倒なネジ止め作業も不要となり、作業時間を大幅に短縮することができる。しかも、ドライバー等の工具を用意する必要もなくなり、表示器（１００）を筐体（１１）に簡易な構成で容易に固定することができる。
【００２０】
前記［２］に記載の表示器（１００）の取付構造では、固着手段の係止爪（１１６）と被係止孔（３３）とを、表示器（１００）の本体（１１０）を筐体（１１）の前面部（３０）の内壁に沿わせて下方向へ摺動させることで、スナップフィット係合するように構成する。そして、前記前面部（３０）の内壁にて開口部（３１）の下側に、表示器（１００）の受け部（３２，３２ａ）を備える。
【００２１】
ここで受け部（３２，３２ａ）は、係止爪（１１６）および被係止孔（３３）の一方を設ける部位としてだけでなく、表示器（１００）の本体（１１０）の下端縁を当接させる位置決めとなる。これにより、表示器（１００）は、固着手段のスナップフィット係合だけでなく、受け部（３２，３２ａ）を介して下端縁より筐体（１１）の前面部（３０）に支えられ、所定位置より下方向へ移動することはない。
【００２２】
前記受け部（３２，３２ａ）は、例えば前記［３］に記載したように、前記係止爪（１１６）および前記被係止孔（３３）の他方が設けられた部位を間にして、表示器（１００）の本体（１１０）の下端縁に沿うように両側方向へ複数に分断されて並ぶように形成すると良い。この場合、受け部（３２，３２ａ）は、前記係止爪（１１６）等が設けられた部位（３２）の他、その両側にも複数の受け部（３２ａ）が間欠的に配置されることになる。
【００２３】
あるいは、前記係止爪（１１６）等が設けられた部位を含めて、前記表示器（１００）の本体（１１０）の下端縁に沿うように両側方向へ一続きに連なるように形成しても良い。この場合、受け部（３２，３２ａ）は、表示器（１００）の本体（１１０）の下端縁をその全域に亘って支持することになる。
【００２４】
何れの形態の受け部（３２，３２ａ）であっても、表示器（１００）の下方向への移動を阻止する。ここで受け部（３２，３２ａ）を、表示器（１００）の本体（１１０）の下端縁に対して背面側からも当接する断面Ｌ字形の爪状とすれば、表示器（１００）が後方向、すなわち前面部（３０）の内壁から離れる背面側へ移動することも阻止できる。
【００２５】
前記［４］に記載の表示器（１００）の取付構造によれば、前記被係止孔（３３）に前記係止爪（１１６）が係合する側の被係止孔（３３）の周囲の基準面と、前記係止爪（１１６）が先端に設けられた板バネ片（１１５）にて係止爪（１１６）が突出する側の基準面との間には、前記受け部（３２，３２ａ）に表示器（１００）の本体（１１０）の下端縁が当接して支持された時に隙間が生じている。
【００２６】
これにより、筐体（１１）の外部より開口部（３１）を通じて表示器（１００）に、想定外の衝撃荷重が付与されたとしても、この衝撃荷重が、他の部位と比べて比較的脆弱となりやすい被係止孔（３３）や被係止孔（３３）がある部位間に直接伝わることはない。よって、衝撃荷重により固着手段が破損することはなく、スナップフィットの機能が失われる事態を防止することができる。
【００２７】
前記［５］に記載の表示器（１００）の取付構造によれば、筐体（１１）の前面部（３０）の内壁にて開口部（３１）の両側に、表示器（１００）の本体（１１０）の両側端が、前記スナップフィット係合後に外側から支えられる支え部（３４）を備える。これにより、表示器（１００）は、スナップフィット係合だけでなく、支え部（３４）を介して両側端からも筐体（１１）の前面部（３０）に支えられ、表示器（１００）が両側方向へ移動することが阻止される。
【００２８】
支え部（３４）に関しても、前記［６］に記載したように、表示器（１００）の左右への移動を阻止するだけでなく、表示器（１００）の本体（１１０）の両側端に対して背面側からも当接する断面Ｌ字形の爪状に形成すると良い。これにより、前記受け部（３２，３２ａ）とはまた別に支え部（３４）によっても、表示器（１００）が後方、すなわち前面部（３０）の内壁から離れる背面側へ移動することを阻止することができる。
【００２９】
ここで表示器（１００）の本体（１１０）の両側端には、該本体（１１０）を前面部（３０）の内壁に対して直交方向から沿わせる時に、前記支え部（３４）の先端を回避するために中央に向かって凹む溝部（１１７）を設けると良い。これにより、前記前面部（３０）の内壁において、支え部（３４）より上方に表示器（１００）の本体（１１０）を、その高さ分の距離以上に摺動させるスペースが採れない場合でも対応することができる。
【００３０】
すなわち、表示器（１００）を、その溝部（１１７）に支え部（３４）が合致する位置から前面部（３０）の内壁に沿わせることが可能となる。その後は、当該位置より表示器（１００）の本体（１１０）の高さ分より少ない距離で、下方向へ摺動させることができる。
【００３１】
前記［７］に記載の表示器（１００）の取付構造によれば、表示器（１００）の画面の周囲と筐体（１１）の前面部（３０）の内壁との間にパッキン（１３０）が介装される。このパッキン（１３０）は、表示器（１００）の画面側から被さるカバー状に形成され、スナップフィット係合時に予め表示器（１００）の画面の周囲に被せた状態に仮止めすることができる。
【００３２】
これにより、従来のパッキン（６）（図２０参照）のように、筐体（１１）の前面部（３０）に対して両面テープで予め取り付けておく必要がなく、パッキン（１３０）の装着性を向上させることができる。よって、いっそう簡易かつ迅速にパッキン（１３０）を含めて表示器（１００）を筐体（１１）に固定することができる。
【００３３】
以上の表示器（１００）を固定する筐体（１１）は、具体的には例えば前記［８］に記載したように、歩行者用信号灯器における作動を指示する押ボタン箱（１０）に適用することができる。押ボタン箱（１０）としての筐体（１１）は、背面側となり前面側が開口したベース本体（２０）と、該ベース本体（２０）の開口を前方から覆うように組み合わされる前面ケース（３０）とから構成される。ここで前面ケース（３０）の前面側が、筐体（１１）の前面部（３０）となり、表示器（１００）により、歩行者支援に関する各種情報を表示することができる。
【発明の効果】
【００３４】
本発明に係る表示器の取付構造によれば、筐体に表示器を簡易な構成で、ネジや工具を使うことなく容易に固定することが可能であり、部品点数や組付工数が削減されてコスト低減を実現することができる。また、表示器の画面の周囲と筐体の前面部の内壁との間におけるパッキンの装着性も向上させることができる。
【図面の簡単な説明】
【００３５】
【図１】本発明の実施の形態に係る表示器を前面ケースに取り付ける状態を後側から見た分解斜視図である。
【図２】本発明の実施の形態に係る表示器を前面ケースに取り付ける状態を前側から見た分解斜視図である。
【図３】本発明の実施の形態に係る表示器の表示パネルを示す正面図である。
【図４】本発明の実施の形態に係る表示器の表示パネルを示す背面図である。
【図５】本発明の実施の形態に係る表示器の表示パネルを示す側面図である。
【図６】本発明の実施の形態に係る表示器の本体を示す正面図である。
【図７】本発明の実施の形態に係る表示器の本体を示す背面図である。
【図８】本発明の実施の形態に係る表示器の本体を示す側面図である。
【図９】図７のIX−IX線の拡大断面図である。
【図１０】本発明の実施の形態に係る表示器のＬＥＤ基板を示す正面図である。
【図１１】本発明の実施の形態に係る表示器のＬＥＤ基板を示す平面図である。
【図１２】本発明の実施の形態に係る表示器のパッキンを示す正面図である。
【図１３】本発明の実施の形態に係る表示器のパッキンを示す背面図である。
【図１４】本発明の実施の形態に係る表示器のパッキンを示す側面図である。
【図１５】図１３のXIII−XIII線の拡大断面図である。
【図１６】本発明の実施の形態に係る表示器の取付手順の前半を示す説明図である。
【図１７】本発明の実施の形態に係る表示器の取付手順の後半を示す説明図である。
【図１８】本発明の実施の形態に係る表示器を取り付ける押ボタン箱を示す斜視図である。
【図１９】本発明の実施の形態に係る表示器を取り付ける押ボタン箱の変形例を示す斜視図である。
【図２０】従来の表示器を前面ケースに取り付ける状態を後側から見た分解斜図である。
【発明を実施するための形態】
【００３６】
以下、図面に基づき、本発明を代表する実施の形態を説明する。
図１〜図１９は、本発明の実施の形態を示している。
本実施の形態に係る表示器１００の取付構造は、筐体１１の前面部に表示器１００を固定するものである。以下、歩行者用信号灯器に付設される押ボタン箱１０に適用した例について説明する。
【００３７】
図１８に示す押ボタン箱１０は、歩行者用信号灯器の作動を指示するものであり、例えば横断歩道の両端等に設置されている。押ボタン箱１０は、筐体１１を本体としており、筐体１１の前面部には、歩行者支援に関する各種情報を表示する表示器１００が設けられている。
【００３８】
筐体１１は、その背面側となり前側は開口したベース本体２０と、該ベース本体２０の開口を前方から覆う前面ケース３０とから成る。ベース本体２０や前面ケース３０は、例えばポリカーボネート等の樹脂材料から成形される。ここで前面ケース３０が筐体１１の前面部となり、その中央にスイッチ（押ボタン）４０が設けられ、スイッチ４０の上側に表示器１００が設けられている。
【００３９】
図１，図２に示すように、前面ケース３０の上部には、表示器１００の画面を裏側から合わせる開口部３１が開設されている。開口部３１は、表示器１００の画面よりも一回り小さい横長矩形である。前面ケース３０の裏側で開口部３１の周囲には、表示器１００の本体１１０を固定するための固着手段が設けられている。
【００４０】
表示器１００は、ディスプレイである表示パネル１０１と、該表示パネル１０１を背面側から支える本体１１０と、光源であるＬＥＤ基板１２０とを備えている。図３〜図５に示すように、表示パネル１０１は、正面視で両側方向に延びる横長矩形であり、例えばポリカーボネート等の透光性材質から形成される。なお、表示パネル１０１の上端縁の両側の角隅は、上下の方向性を識別させるために切り欠かれている。
【００４１】
表示パネル１０１の正面は、そのまま表示器１００の画面となり、表示パネル１０１の背面には、点灯時に表示する文字（各種情報）が直接印刷されている。ここでの印刷は、例えばシルク印刷が適しており、文字部分にのみ光が透過して、その他の部分は光が透過しないようにインクが塗られている。以下、表示器１００の画面とは、表示パネル１０１の正面を指すものとする。また、表示パネル１０１の両側端には、それぞれ中央に向かって半円形に凹む一対の溝部１０３が設けられている
【００４２】
図６〜図９に示すように、本体１１０は、前記表示パネル１０１の背面に合致する形状の正面壁部１１１と、この正面壁部１１１の周囲を残して背面側に窪むように設けられた光反射面部１１２と、該光反射面部１１２の上端側でＬＥＤ基板１２０を取り付ける基板取付部１１３とを備えている。本体１１０は、例えばポリカーボネート等の樹脂材料から形成される。
【００４３】
正面壁部１１１は、前記表示パネル１０１と同様に、正面視で両側方向に延びる横長矩形であり、その上端縁の両側の角隅は、表示パネル１０１に合わせて上下の方向性を識別させるために切り欠かれている。正面壁部１１１には、表示パネル１０１の画面のうち表示領域を背面側から縁取る横長矩形の開口部１１１ａが設けられ、光反射面部１１２は、開口部１１１ａの内側で背面側に窪むように設けられている。
【００４４】
また、正面壁部１１１の正面側で上端縁の略中央には、横長直線状に延びて前方向へ突出した押さえリブ１１１ｂが設けられている。押さえリブ１１１ｂは、正面壁部１１１を前記表示パネル１０１の背面に合わせた際に、表示パネル１０１が本体１１０の上方向へ動かないように押さえるための部位である。
【００４５】
図４，図１に示すように、表示パネル１０１の背面にて上端縁の略中央には、前記押さえリブ１１１ｂが係合する横長直線状に延びた凹溝１０２が設けられている。また、正面壁部１１１の両側端には、前記表示パネル１０１の溝部１０３に合致するように、それぞれ中央に向かって半円形に凹む一対の溝部１１７が設けられている。
【００４６】
光反射面部１１２は、基板取付部１１３の後端側より下方へ湾曲して延びる断面形状をなしており、その下端は前記開口部１１１ａの下側内縁に連なっている。光反射面部１１２における反射面の具体的な形状は、その上端より下方向へ照射される後述のＬＥＤ１２１からの直接光を、主に垂直方向へ配光制御するように設計されている。
【００４７】
すなわち、光反射面部１１２の反射面は、ＬＥＤ１２１に近い表示パネル１０１の上部だけでなく、ＬＥＤ１２１から遠い表示パネル１０１の下部にも集光させて明るくする放物面形状となっている。これにより、表示パネル１０１で表示する文字の均斉度を向上させ、文字の上部と下部の明るさの差を少なくする。また、長期使用によってＬＥＤ１２１の光束維持率(明るさ)が低下しても、下部の文字の視認性を維持することができる。
【００４８】
光反射面部１１２の反射面は、ＬＥＤ１２１からの光を水平方向へも配光制御するように設計しても良い。光反射面部１１２における水平方向への配光は、後述のＬＥＤ基板１２０上にＬＥＤ１２１を狭い間隔で配置することでも行えるが（配光無制御）、水平方向へも反射面自体で配光制御すれば、使用するＬＥＤ１２１の数を減らすことができる。また、反射面は鏡面（蒸着面）による配光制御とするが、白色塗料による拡散反射によるものでも可能となる。
【００４９】
図６〜図９に示すように、基板取付部１１３は、正面壁部１１１の背面側で、開口部１１１ａの上側内縁より後方向へ所定幅で水平に延出する台座状に形成されている。基板取付部１１３に固定されたＬＥＤ基板１２０は、ＬＥＤ１２１のある下面が正面壁部１１１の背面側で表示パネル１０１の背面と直交し、光反射面部１１２に対して上方向から光を垂直に照射するように配置されている。
【００５０】
図１０，図１１に示すように、ＬＥＤ基板１２０は、両側方向に沿って細幅に延びる横長矩形であり、その下面に表面実装型のチップ状ＬＥＤ１２１が所定間隔おきに複数配置されている。ＬＥＤ１２１は、一般的であるので詳細な説明は省略するが、ＬＥＤ基板１２０の下面に対して直交する光軸を中心に所定角度の放射範囲で光を出射するものである。ＬＥＤ１２１の発光色は任意に選択される。ＬＥＤ基板１２０は、その下面が実装面となり、ＬＥＤ１２１やその配線回路、抵抗の他、コネクタ１２２等が配置されている。
【００５１】
ＬＥＤ基板１２０におけるＬＥＤ１２１等の関連部品の配置は、下面だけに集中した片面実装となっている。また、各ＬＥＤ１２１の具体的な配置は、互いに均等に並ぶ状態に限られることなく、例えば光反射面部１１２の両側端における輝度低下を防ぐために、ＬＥＤ基板１２０の両端部に若干寄せた配置としても良い。なお、ＬＥＤ１２１には、例えばコーティング剤を塗布する等の硫化（ガス）対策を施すと良い。
【００５２】
ＬＥＤ基板１２０を前記本体１１０の基板取付部１１３に取り付けるには、スナップフィットによる係合が用いられている。すなわち、図１，図９に示すように、基板取付部１１３の前端側が連なる正面壁部１１１の背面側上部には、ＬＥＤ基板１２０の前端縁を沿わせた際に係止できる引掛爪１１１ｃが設けられている。一方、引掛爪１１１ｃと対向する基板取付部１１３の後端側には突片１１３ａが設けられ、この突片１１３ａの略中央に、スナップフィットによりＬＥＤ基板１２０の後端縁にある切欠溝１２３に係合する係止爪１１３ｂが設けられている。
【００５３】
ＬＥＤ基板１２０の前端縁を、基板取付部１１３の前端側に向けて斜め下方に傾けながら引掛爪１１１ｃに係止した後、この前端縁を支点として後端縁を下方へ押し込む。すると、ＬＥＤ基板１２０の後端縁の切欠溝１２３に対して、基板取付部１１３の後端側の係止爪１１３ｂが噛み合ってスナップフィットにより係合し、ＬＥＤ基板１２０は基板取付部１１３に固定される。なお、ＬＥＤ基板１２０を外す時は、係止爪１１３ｂを内側から押して切欠溝１２３から離脱させれば良い。
【００５４】
ＬＥＤ基板１２０の前端縁の一端には、基板取付部１１３の前端側にある位置決め突起１１３ｃに係合することで、ＬＥＤ基板１２０の前後の正しい取り付け向きを規制するための位置決め切欠１２４が設けられている。また、図７示すように、基板取付部１１３の前端側が連なる正面壁部１１１の背面側上部には、互いに間隔をあけて上下方向に延びる突条のリブ１１１ｄが２箇所に設けられている。各リブ１１１ｄに対してＬＥＤ基板１２０の前端縁が当接することで、この前端縁の両端の角がＬＥＤ基板１２０の前端縁の両端のアール面に干渉することを避けることができる。
【００５５】
以上のＬＥＤ基板１２０の取付によれば、ＬＥＤ１２１からの照射光は、本体１１０の光反射面部１１２によって表示パネル１０１の背面側より前方向へ反射される。表示パネル１０１では、文字部分のみに光が透過するため、文字の形に光って見える。なお、表示器１００で表示する各種情報は、図１，図１８に示した例では、歩行者に待機を指示する「おまちください」の文字だが、他に「おしてください」等のスイッチ操作を促す文字であっても良く、様々な各種情報を表示することができる。
【００５６】
図１，図２に示すように、表示器１００は、表示パネル１０１の画面の周囲と前面ケース３０の内壁との間に介装されて防水性を高めるパッキン１３０を備えている。図１２〜図１５に示すように、パッキン１３０は、表示パネル１０１の正面から被さるカバー状に形成され、予め表示パネル１０１の周囲に被せた状態に仮止め可能である。パッキン１３０は、表示パネル１０１の周囲に沿って被さる枠組状であり、例えばシリコンやブチルゴム等の弾性材質から形成される。なお、パッキン１３０は、表示器１００とは別の構成要素として捉えても良い。
【００５７】
パッキン１３０は、前記表示パネル１０１と同様に、正面視で両側方向に延びる横長矩形であり、その上端縁の両側の角隅は、表示パネル１０１に合わせて上下の方向性を識別させるために切り欠かれている。パッキン１３０には、表示パネル１０１の画面のうち表示領域を縁取る横長矩形の開口部１３１が設けられている。また、パッキン１３０の両側端には、前記表示パネル１０１や本体１１０の溝部１０３等に合致するように、それぞれ中央に向かって半円形に凹む一対の溝部１３２が設けられている。
【００５８】
パッキン１３０の正面には、開口部１３１を縁取るように周回する水切り山であるリップ１３５が設けられている。同様に、パッキン１３０の背面にも、開口部１３１を縁取るように周回する水切り山であるリップ１３６が設けられている。表示器１００の取付時に、正面のリップ１３５は、前面ケース３０の内壁と線接触して前面ケース３０とパッキン１３０との間の防水性を高め、背面のリップ１３６は、表示パネル１０１の画面と線接触して表示パネル１０１とパッキン１３０との間の防水性を高める。
【００５９】
また、パッキン１３０の背面にて下端両側には、表示パネル１０１の正面にて下端両側にある位置決め凹部１０４に係合する位置決め凸部１３３が設けられている。位置決め凹部１０４と位置決め凸部１３３とが係合しなければ、表示パネル１０１に対してパッキン１３０が合わさらないため、表示パネル１０１の背面からパッキン１３０を被せてしまい表裏逆となることを防ぐことができる。さらに、パッキン１３０の両側端の外側には、それぞれ隙間埋め用の凸部１３４が設けられている。
【００６０】
次に、前面ケース３０の裏側に表示器１００の本体１１０を固定するための固着手段について説明する。固着手段は、表示器１００の本体１１０を前面ケース３０の内壁に沿わせて下方向（一方向）へ摺動させると、該摺動に伴い本体１１０に設けられた係止爪１１６が、前面ケース３０に設けられた被係止孔３３にスナップフィット係合するものである。かかる固着手段のスナップフィット係合により、表示器１００は画面が開口部３１に合致する所定位置に固定される。
【００６１】
図１に示すように、係止爪１１６は、表示器１００における本体１１０の正面壁部１１１の下端縁に設けられている。一方、被係止孔３３は、前面ケース３０の内壁にて開口部３１の下側に設けられている。ここで前面ケース３０の内壁にて開口部３１の下側には、被係止孔３３が設けられ、かつ係止爪１１６がある正面壁部１１１の下端縁がスナップフィット係合後に当接して位置決めされる受け部３２，３２ａが設けられている。
【００６２】
図６〜図９に示すように、表示器１００の本体１１０の下端縁の略中央には、上側に向かって凹む切欠部１１４が設けられている。切欠部１１４の上端中央より、板バネ片１１５が下方向へ延びるように突設され、この板バネ片１１５の下端背面側に係止爪１１６は設けられている。係止爪１１６の先端より外側は、後述する被係止孔３３がある受け部３２の上端に乗り上がるようにテーパーが設けられている。また、係止爪１１６の基端の内側にて被係止孔３３に引っ掛かる顎部の保持角は、一度嵌るとそのままでは外れないよう直角に設定されている。
【００６３】
図１，図２に示すように、前面ケース３０の内壁にて開口部３１の略中央の下側には、被係止孔３３を含む受け部３２が背面側に突設されている。受け部３２は、両側方向へ所定幅で延びており、その全幅に亘って表示器１００の本体１１０の下端縁が当接して下方向への動きを阻止する位置決めとなる。しかも、受け部３２は、その先端が上向きとなる断面Ｌ字形の爪状に形成されており、本体１１０の下端縁に対して背面側からも当接するため、本体１１０の後方向への移動も阻止することができる。
【００６４】
受け部３２の垂直となる壁部には、被係止孔３３が横長矩形に設けられている。被係止孔３３は、前記係止爪１１６の顎部が嵌入する形状をなしている。ここで受け部３２の垂直の壁部において被係止孔３３の上側に位置する上端縁の内側は、前記係止爪１１６の先端のテーパーが円滑に摺接するためのテーパーが設けられている。
【００６５】
受け部３２は、被係止孔３３を含む一箇所だけではなく、この受け部３２を間にして、表示器１００の本体１１０の下端縁に沿うように両側方向へ複数に分断されて並ぶように設けられている。すなわち、受け部３２の両側には、本体１１０の下端縁の両側端が当接して位置決めとなる一対の受け部３２ａも設けられている。各受け部３２ａは、基本的には中央の受け部３２と同様の構成であるが、被係止孔３３を含まず、その横幅も若干狭くなっている。各受け部３２ａも、本体１１０の下端縁に対して背面側からも当接する。
【００６６】
このように受け部３２，３２ａは、前記被係止孔３３が設けられた部位を間にして、表示器１００の本体１１０の下端縁に沿うように両側方向へ複数に分断されて並ぶように設けられている。なお、受け部３２の別の態様として、複数に分断することなく一続きに連なって両側方向へ延びるように形成しても良い。何れの形態にせよ、受け部３２，３２ａが位置決めとなって、表示器１００は所定位置に位置決めされ、所定位置により下方向への移動が阻止される。
【００６７】
図９において、係止爪１１６が先端にある板バネ片１１５にて、係止爪１１６が突出する側の基準面Ｌ１と、前記被係止孔３３に係止爪１１６が係合する側の被係止孔３３の周囲の基準面との間には、受け部３２，３２ａに表示器１００の本体１１０の下端縁が当接して支持された時に隙間が生じている。すなわち、板バネ片１１５の基準面Ｌ１は、本体１１０の正面壁部１１１における下端背面側の基準面Ｌ２よりも、前方向（奥側）に位置するように設計されている。
【００６８】
また、前面ケース３０の内壁にて開口部３１の両側には、表示器１００の本体１１０の両側端が、スナップフィット係合後に外側から支えられる支え部３４が背面側に突設されている。支え部３４は、前面ケース３０の内壁にて開口部３１の両側で互いに対向する一対の断面Ｌ字形の細幅爪状に形成されている。前述したように、表示器１００の本体１１０の両側端には、該本体１１０を前面ケース３０の内壁に対して直交方向から平行に沿わせる際、支え部３４の先端を回避するための溝部１１７が設けられている。
【００６９】
同様に表示パネル１０１やパッキン１３０にも、それぞれ両側端に一対の凹溝１０３等が設けられている。このような表示器１００の両側端における溝部１１７等は、元々は図２０に示す従来の表示器１の両側端をネジ止めするボス３ｂに嵌合させるものであり、これをそのまま残している。なお、従来の表示器４のように円孔ではなく、半円形の溝とすることで、その分、表示器１００の横幅を狭くして全体的にコンパクトに設計している。
【００７０】
次に、図１６，図１７に基づき、表示器１００の具体的な取り付けの詳細について説明する。図１６（ａ）に示すように、前面ケース３０を用意してから、図１６（ｂ）に示すように、パッキン１３０と表示パネル１０１を一体化する。パッキン１３０は、表示パネル１０１の正面から被さるカバー状であり、予め表示パネル１０１の周囲に被せた状態に仮止めすることができる。
【００７１】
これにより、従来のパッキン６（図２０参照）のように、表示器１００に対して両面テープで予め取り付けておく必要がなく、また、スナップフィット係合時に両面テープの位置がずれることもなく、パッキン１３０の装着性を向上させることができる。よって、いっそう簡易かつ迅速にパッキン１３０を含めて表示器１００を筐体１１に固定することができる。
【００７２】
図１６（ｃ）に示すように、一体化したパッキン１３０と表示パネル１０１を、前面ケース３０の裏側で開口部３１を塞ぐように配置する。ここで、パッキン１３０と表示パネル１０１を、前面ケース３０の内壁に対して直交方向から平行に沿わせる時、それぞれの両側端にある凹溝１３２等を前面ケース３０側の一対の支え部３４の先端に通せば良い。パッキン１３０の両側端の外側には、それぞれ隙間埋め用の凸部１３４（図１２参照）が設けられている。この凸部１３４によって、支え部３４の内側とパッキン１３０の側端との間の隙間が塞がれるため、表示器１００の取付後における左右方向へのガタつきを抑えることができる。
【００７３】
次いで、図１６（ｄ）に示すように、表示器１００の本体１１０にＬＥＤ基板１２０を取り付ける。すなわち、詳しくは図１において、ＬＥＤ基板１２０の前端縁を、基板取付部１１３の前端側に向けて斜め下方に傾けながら引掛爪１１１ｃに係止する。続いて、図１７（ｅ）に示すように、ＬＥＤ基板１２０の前端縁を支点として後端縁を下方へ水平になるまで押し込む。すると、図１に示したＬＥＤ基板１２０の後端縁の切欠溝１２３に対して、基板取付部１１３の後端側の係止爪１１３ｂが噛み合ってスナップフィットにより係合し、ＬＥＤ基板１２０は基板取付部１１３に固定される。
【００７４】
その後、図１７（ｆ）に示すように、本体１１０を前面ケース３０側に既に配置してある表示パネル１０１の背面に重ね合わせて、受け部３２に当接するまで下方向へ摺動させる。ここで本体１１０を表示パネル１０１の背面に合わせた時に、正面壁部１１１にある押さえリブ１１１ｂが表示パネル１０１にある凹溝１０２に係合する。よって、表示パネル１０１は本体１１０の上方向へ動かないように押さえられる。パッキン１３０と表示パネル１０１は既に一体であるため、表示パネル１０１を押さえることで、同時にパッキン１３０も押さえることができる。
【００７５】
本体１１０を、前面ケース３０の内壁に対して直交方向から平行に沿わせる時も、両側端にある溝部１１７（図１参照）に前面ケース３０側の一対の支え部３４を通してから下方向へ摺動させる。表示器１００の両側端に溝部１１７等を設けたことにより、開口部３１の上側に、表示器１００の本体１１０をその高さ分以上の距離で摺動させるスペースがない場合でも、対応することができる。すなわち、表示器１００を、その溝部１１７等に支え部３４が合致する位置から前面ケース３０の内壁に沿わせることが可能となる。その後は、当該位置より表示器１００の本体１１０の高さ分より少ない距離で、下方向へ摺動させることができる。
【００７６】
図１７（ｇ）に示すように、本体１１０を下方向へ押し込み摺動させると、本体１１０の正面壁部１１１の下端にある係止爪１１６が、前面ケース３０側にある被係止孔３３に係合する。このように、表示器１００を下方向へ摺動させるだけで、係止爪１１６が被係止孔３３にスナップフィット係合し、表示器１００は画面が開口部３１に合致する所定位置に固定される。
【００７７】
かかる表示器１００の取付構造によれば、筐体１１の前面ケース３０にネジ止めする場合に比べて、ネジが不要となって部品点数や組付工数が削減される。また、面倒なネジ止め作業も不要となり、作業時間を大幅に短縮することができる。しかも、ドライバー等の工具を用意する必要もなくなり、表示器１００を筐体１１に簡易な構成で容易に固定することができる。
【００７８】
前面ケース３０側にある受け部３２，３２ａは、被係止孔３３を設ける部位としてだけでなく、表示器１００の本体１１０の下端縁を当接させる位置決めとなる。これにより、表示器１００は、スナップフィット係合だけでなく、受け部３２，３２ａを介して下端縁より前面ケース３０に支えられ、所定位置より下方向へ移動することはない。しかも、受け部３２，３２ａは、その先端が上向きとなる断面Ｌ字形の爪状であるため、表示器１００の本体１１０の下端縁に対して背面側からも当接し、本体１１０の後方向への移動も阻止することができる。
【００７９】
また、前面ケース３０側にある支え部３４は、表示器１００の溝部１１７等より相対的に上方向へ移動した後、表示器１００の両側端に係合する。これにより、表示器１００は、一対の支え部３４を介して両側端からも前面ケース３０に支えられ、表示器１００が両側方向へ移動することが阻止される。特に、支え部３４に直接係合するパッキン１３０の両側端の外側には、それぞれ隙間埋め用の凸部１３４があり、支え部３４の内側に点接触して弾性変形する。
【００８０】
これにより、表示器１００の取付後におけるパッキン１３０の左右方向への位置ズレを防ぐことができる。また、支え部３４に関しても、表示器１００の左右方向への位置ズレを防ぐだけでなく、表示器１００の本体１１０の両側端に対して背面側からも当接するため、よりしっかりと表示器１００を保持することができる。
【００８１】
以上のように、前面ケース３０の裏側に固定された表示器１００は、係止爪１１６と被係止孔３３のスナップフィット係合だけでなく、受け部３２，３２ａおよび支え部３４によって、左右方向と下方向へ移動しないように支えられる。また、前面ケース３０の前方より開口部３１を通して表示器１００に外力が加えられた際は、この外力は受け部３２，３２ａおよび支え部３４によって受けられて、後方向への移動も防止される。
【００８２】
ただし、前述したように、係止爪１１６が先端にある板バネ片１１５で係止爪１１６が突出する側の基準面Ｌ１（図９参照）と、前記被係止孔３３に係止爪１１６が係合する側の被係止孔３３の周囲の基準面との間には隙間が生じている。これにより、筐体１１の外部より開口部３１を通じて表示器１００に、想定外の衝撃荷重が付与されたとしても、この衝撃荷重が、他の部位と比べて比較的脆弱となりやすい被係止孔３３や被係止孔３３がある部位間に直接伝わることはない。よって、衝撃荷重によりスナップフィットの機能が失われることを防止することができる。
【００８３】
また、表示パネル１０１とパッキン１３０の上方向への動きは、本体１１０にある押さえリブ１１１ｂによって押さえられるが、本体１１０の上方向への動きを押さえる構成はない。かかる上方向への動きは、スナップフィットだけの係合力だけでも十分に押さえることが可能であり、また、表示器１００は自重でも下方へ押さえられることになり、特に問題はない。
表示器１００を前面ケース３０から取り外す時は、被係止孔３３の外側から細い棒等で係止爪１１６を押して被係止孔３３から外せば、スナップフィット係合を容易に解除することができ、表示器１００を取り外すことができる。
【００８４】
なお、筐体１１の内部には、図示省略したが制御基板も収納されており、この制御基板に格納された所定プログラムに従って、表示器１００の表示を含む押ボタン箱１０の各種機能は制御される。表示器１００は、例えば交通信号制御機から送出される表示駆動信号により点灯するように制御される。
【００８５】
図１，図２に示すように、前面ケース３０には、上下に２つの開口部３１が設けられており、表示器１００は、上側の開口部３１に対して前述した取付構造で固定される。ここで下側の開口部３１には、図１８に示したように、前面ケース３０の表側から取り付ける表示板３５によって塞がれている。ただし、図１９に示したように、下側の開口部３１にも、前面ケース３０の裏側から従来同様の表示器４（図２０参照）を取り付けるように構成したり、あるいは表示器１００を取り付けられるように構成しても良い。
【００８６】
以上、本発明の実施の形態を図面によって説明してきたが、具体的な構成は前述したような実施の形態に限られるものではなく、本発明の要旨を逸脱しない範囲における変更や追加があっても本発明に含まれる。例えば表示器１００の種類は、特に限定されるものではなく、他に液晶ユニットやＬＥＤ表示器等と何れの形態であっても、画面に各種情報として文字や図形等を表示可能なものであれば良い。
【００８７】
また、前記固着手段では、表示器１００の本体１１０に係止爪１１６を設ける一方、前面ケース３０に被係止孔３３を設けたが、逆の態様として、表示器１００の本体１１０に被係止孔を設ける一方、前面ケース３０に係止爪を設けるように構成しても良い。また、係止爪１１６および被係止孔３３等の具体的な形状も、図示した例に限定されることはなく、様々な形状が考えられる。
【００８８】
さらに、押ボタン箱１０に関しても図示したものに限定されることはなく、他に例えば、本出願人が既に提案している特願２０１５−１０９８９９号に記載されたものに適用することもできる。さらに、筐体１１は押ボタン箱１０に限定されることもなく、他の様々な分野の筐体構造に適用することができる。
【産業上の利用可能性】
【００８９】
本発明に係る表示器の取付構造は、歩行者用信号灯器に付設される押ボタン箱の他にも、様々な分野における筐体の前面部に表示器を固定するものに幅広く利用することができる。
【符号の説明】
【００９０】
１０…押ボタン箱
１１…筐体
２０…ベース本体
３０…前面ケース
３１…開口部
３２…受け部
３２ａ…受け部
３３…被係止孔
３４…支え部
１００…表示器
１０１…表示パネル
１０２…凹溝
１０３…溝部
１０４…位置決め凹部
１１０…本体
１１１…正面壁部
１１１ａ…開口部
１１１ｂ…押さえリブ
１１１ｃ…引掛爪
１１１ｄ…リブ
１１２…光反射面部
１１３…基板取付部
１１３ａ…突片
１１３ｂ…係止爪
１１３ｃ…位置決め突起
１１４…切欠部
１１６…係止爪
１１７…溝部
１２０…ＬＥＤ基板
１２３…切欠溝
１２４…位置決め切欠
１３０…パッキン
１３１…開口部
１３２…溝部
１３３…位置決め凸部
１３４…凸部
１３５…リップ
１３６…リップ
【図１】
2018036906.tif 000003
【図２】
2018036906.tif 000004
【図３】
2018036906.tif 000005
【図４】
2018036906.tif 000006
【図５】
2018036906.tif 000007
【図６】
2018036906.tif 000008
【図７】
2018036906.tif 000009
【図８】
2018036906.tif 000010
【図９】
2018036906.tif 000011
【図１０】
2018036906.tif 000012
【図１１】
2018036906.tif 000013
【図１２】
2018036906.tif 000014
【図１３】
2018036906.tif 000015
【図１４】
2018036906.tif 000016
【図１５】
2018036906.tif 000017
【図１６】
2018036906.tif 000018
【図１７】
2018036906.tif 000019
【図１８】
2018036906.tif 000020
【図１９】
2018036906.tif 000021
【図２０】
2018036906.tif 000022